(57)【特許請求の範囲】
【請求項１】
計測量に応じて振れる指針と、
この指針の指示対象となる計測値表示部と前記指針の所定振れ角分に相当する範囲を示すゾーン表示部とが形成された表示板と、
少なくともこの表示板を背後から透過照明する光源とを備え、
前記ゾーン表示部は前記表示板の前方から入射する光の表面反射によって全エリア視認可能に構成され、前記光源の点灯時には前記光源の光が透過する第１のエリアと前記光源の光が所定の遮光要素を通じて遮断される第２のエリアとを有し、
少なくとも前記第１のエリアと前記第２のエリアの境界部を含む領域に透過光の光量を平面方向に従って変化させる透過光調整部を設けたことを特徴とする指針式計器。
【請求項２】
前記透過光調整部が網点印刷層からなることを特徴とする請求項１記載の指針式計器。
【発明の詳細な説明】
【０００１】
【発明の属する技術分野】
本発明は、例えば自動車、オートバイ、農機、建機、船舶に搭載され、指針にて表示板上に形成された計測値表示部をアナログ表示する指針式計器に関し、特に表示板が例えばレッドゾーン表示部のごときゾーン表示部を有する指針式計器に関するものである。
【０００２】
【従来の技術】
従来の指針式計器として、例えば下記特許文献１に記載のものが知られている。当該文献記載の指針式計器は、表示板の背後に反射体が配置され、この反射体には指針の照明室と表示板の照明室を形成する隔壁が形成され、この隔壁によって区画された各照明室に光源を収納し、光源の光を隔壁によって反射させて指針や表示板を効率良く照明するようにしている。この場合、表示板の照明室を構成する隔壁のうち、指針の照明室に近い隔壁は光源からの光を効率よく外側の隔壁に反射できるように外側に屈曲しており、従ってこの屈曲箇所に対応する表示板上領域に光源の光は届かず、照明のデッドエリアとなるが、通常の指針式計器の場合、このデッドエリアに計測値表示部が配置されることはないため、特に問題とならない。
【０００３】
【特許文献１】
特開２００２−１９５８５８号公報
【０００４】
【発明が解決しようとする課題】
しかしながら、例えば表示板がタコメータの表示板のように、レッドゾーン表示部のごときゾーン表示部を有し、このゾーン表示部が指針の回転中心から放射状に延びる形状の場合、屈曲する隔壁が光源からの光を遮断する遮光要素となり、ゾーン表示部全体を透過照明することができない場合がある。この場合は、表示板が外光等の表面反射により視認される昼間時等の場合は、ゾーン表示部全体が視認されるが、夜間時等、光源の点灯時には、遮光要素の端部を境界として、光源の光によって透過照明され視認可能なエリアと、隔壁によって光が遮られて視認不可能なエリアとが存在し、この結果、昼と夜とでゾーン表示部の面積（視認面積）が変化してしまう。このような面積変化は、ゾーン表示部の形状不一致等の問題がなければ、不都合は生じにくいが、遮光要素の存在（影）にて生じる境界部での急激な輝度変化は、照明品位の低下や利用者に違和感を与えてしまうという問題があった。
【０００５】
そこで本発明は、前述の課題に対して対処するため、照明品位の低下や利用者に与える違和感を抑えることが可能な指針式計器の提供を目的とする。
【０００６】
【課題を解決するための手段】
本発明は、前記目的を達成するため、計測量に応じて振れる指針と、この指針の指示対象となる計測値表示部と前記指針の所定振れ角分に相当する範囲を示すゾーン表示部とが形成された表示板と、少なくともこの表示板を背後から透過照明する光源とを備え、前記ゾーン表示部は前記表示板の前方から入射する光の表面反射によって全エリア視認可能に構成され、前記光源の点灯時には前記光源の光が透過する第１のエリアと前記光源の光が所定の遮光要素を通じて遮断される第２のエリアとを有し、少なくとも前記第１のエリアと前記第２のエリアの境界部を含む領域に透過光の光量を平面方向に従って変化させる透過光調整部を設けたことを特徴とする。
【０００７】
また本発明は、前記透過光調整部が網点印刷層からなることを特徴とする。
【０００８】
【発明の実施の形態】
以下、図１から図３に基づいて本発明を車輌用の指針式計器に適用した実施形態を説明するが、図１は指針式計器の平面図、図２は図１のＡ−Ａ断面図、図３は図１のＢ−Ｂ断面図、図４は図１中、点Ｐ１と点Ｐ２を結んだラインＬ上における透過光の強度を示す説明図である。
【０００９】
図１，図２において、指針式指示計器は、駆動装置１の回転軸２の先端側に固着され、計測量に応じ回転軸２を中心に振れ角運動する指針３と、この指針３の背面側に位置し、計測値表示部４とゾーン表示部５とが施された表示板６と、この表示板６の背面側に位置するガラスエポキシ樹脂からなる硬質の回路基板７と、この回路基板７上に設けられ、それぞれ指針３と表示板６を照明する光源８と、指針３を照明する照明室と表示板６を照明する照明室とを区画する合成樹脂製の枠体９とで構成されている。
【００１０】
指針３を照明する光源８として、例えば赤色光を照射する発光ダイオードが用いられ、枠体９に設けられた円筒形の隔壁９１内であって、回転軸２の近傍に回転軸２を中心とした円形状に複数個設けられている。光源８からの光は、隔壁９１内を指針３の回転中心部に進み、この場合、透光性材料からなる指針３を発光させる。
【００１１】
表示板６を照明する光源８として、例えば白色光を照射する発光ダイオードが用いられ、隔壁９１の外側を円形状に取り巻いて複数設けられている。
【００１２】
光源８と表示板６との間には、隔壁９１の途中から光源８の前方を覆うように外側に屈曲（傾斜）する円錐形の第１の反射部（遮光要素）９２が形成され、またこの反射部９２の外側には、光源８からの光を表示板６側に反射するパラボナアンテナ形の第２の反射部９３が形成されている。光源８からの光は、第１，第２の反射部を通じて表示板６側に進み、表示板６の計測値表示部４とゾーン表示部５の双方を透過照明する。なおこれら計測値表示部４とゾーン表示部５以外の表示板６箇所は遮光性に形成されている。
【００１３】
計測値表示部４は、図１に示すように、指針３の回転中心を中心として円弧状に配された数字や目盛からなり、ゾーン表示部５は、指針３の所定振れ角分に相当する範囲（この場合、警告振れ角範囲）を示す所謂レッドゾーンからなるもので、この実施形態では、指針３の所定振れ角分の幅を有して、指針３の回転中心外周箇所から計測値表示部４の一部（数字部）を含む領域に至るよう、回転軸１を基準とした放射方向に延びており、その全体形状は略扇形である。
【００１４】
次に図３に基づいて表示板５の詳細構成について説明する。
表示板６は、例えばポリカーボネートやアクリル等の実質的に無色で透光性を有する合成樹脂からなる平板状の基板６１と、この基板６１にスクリーン印刷等の手段によって印刷形成された第１の着色層６２、第２の着色層６３、地色層６４とを有する。
【００１５】
このうち、第１の着色層６２は、例えば白色の透光性インクを用いて、計測値表示部４に対応して設けられている。
【００１６】
第２の着色層６３は、例えば赤色の透光性インクを用いて、ゾーン表示部５に対応して設けられている。
【００１７】
地色層６４は、例えばシルバー色の遮光性をインクを用いて、各着色層６２，６３上であって、計測値表示部４及びゾーン表示部５となる領域を除く基板６１の略全面に形成され、地色層６４を除いた抜き部分、すなわちこの抜き部分から第１，第２の着色部６２，６３が露出することにより、計測値表示部４及びゾーン表示部５が形成されている。
【００１８】
この地色層６４の一部は、ゾーン表示部５上で網点パターン状の透過光調整部（網点印刷層）６４ａを形成し、網点パターンを形成する各ドットの濃淡（個々の大きさや密度）は、本実施形態では、指針３の回転中心から離れるに従って徐々に薄くなるようになっている。
【００１９】
この結果、ゾーン表示部５の全体色調は、図１中、点Ｐ１と点Ｐ２とを結んで指針３の回転中心を基準とした放射方向に延びるラインＬに従って、点Ｐａ側の赤色が薄く、点Ｐｂ側の赤色が濃くなるように設定されている。これは、ドットの濃淡を変化させることにより、第２の着色層の露出度合が次第に変化するためである。また同時に透過光調整部６４ａは、ゾーン表示部５を透過する透過光の光量を平面方向に従って徐々に変化させる機能も有しており、本実施形態では、図４に示すように、点Ｐｃ側から点Ｐａ側に向かうに従って、透過光の光量が徐々に増加するようになっており、これにより光源８が点灯した場合、ゾーン表示部５の照明色調は、点Ｐａ側から点Ｐａ側に向かうに従って徐々に赤色が濃くなるように設定されている。なお点Ｐａから点Ｐｃまでの範囲は不透過となり発光しないが、この点は以下に説明する。
【００２０】
次に、ゾーン表示部５と、枠体９の反射部９２、光源８の関係に着目すると、本実施形態では、図３に示すように、ゾーン表示部５の直下に反射部９２が位置し、この際、反射部９２はゾーン表示部５の略半分の面積を覆っており、光源８から発せられた光は、反射部９２に遮られ、ゾーン表示部５全体を透過照明することはできず、この結果、光源８点灯の点灯時には、図１にも示すように、反射部９２の端部を境界部Ｂｄ（境界点Ｐｃ）として、光源８の光によって透過照明され視認可能となる第１のエリアＡ１と、反射部９２により光源８の光が遮られて視認不可能となる第２のエリアＡ２とが存在することになる。なお、ゾーン表示部５は、周囲が明るい昼間時等、前方から入射する光の表面反射によって表示板５を視認する場合は、第１，第２のエリア双方が視認される。
【００２１】
ここで、境界部Ｂｄに注目すると、境界部Ｂｄ上に位置するゾーン表示部５箇所は、透過光調整部６４ａが形成され、平面方向に従って透過の光量が徐々に変化するようになっているため、境界部Ｂｄ上での急激な輝度変化が抑えられる。
【００２２】
以上のように、本実施形態では、計測量に応じて振れる指針３と、この指針３の指示対象となる計測値表示部４と指針３の所定振れ角分に相当する範囲を示すゾーン表示部５とが印刷形成された表示板６と、少なくともこの表示板６を背後から透過照明する光源８とを備えており、ゾーン表示部５は表示板６の前方から入射する光の表面反射によって全エリア視認可能に構成され、光源８の点灯時には光源８の光が透過する第１のエリアＡ１と光源８の光が反射部（所定の遮光要素）９２を通じて遮断される第２のエリアＡ２とを有し、第１のエリアＡ１と第２のエリアＡ２の境界部Ｂｄを含む領域に透過光の光量を平面方向に従って変化させる透過光調整部６４ａを設けたことにより、ゾーン表示部５内にアリアＡ１とエリアＡ２とが存在する場合であっても、照明品位の低下や利用者に与える違和感を抑えることができる。
【００２３】
なお本実施形態では、ゾーン表示部５の略全体に透過光調整部６４ａを設けたが、透過光調整部６４ａは、少なくとも境界部Ｂｄを含む領域に設けてあればよく、境界部Ｂｄ上での急激な輝度変化が抑えることができれば、透過光の変化方向も任意である。
【００２４】
また本実施形態では、地色層６４の一部によって透過光調整部６４ａを形成したことにより、透過光調整部を専用に設ける必要がないので、コスト低減、印刷工数低減を図ることができる。
【００２５】
また本実施形態では、透過光調整部６４ａが印刷層からなることにより、制作が容易であり、特に既存の網点印刷技術を用いて透過光調整部６４ａを設けることができるので、制作が容易である。
【００２６】
また本実施形態では、透過光調整部６４ａを印刷層によって設けたが、境界部Ｂｄ上での急激な輝度変化が抑えることができれば、その形成手段や位置は任意であり、例えば専用の光調整フィルムを表示板６の背面に設けてもよい。
【００２７】
なお本実施形態では、反射部９２が遮光要素となったが、遮光要素はゾーン表示部５に至る光を遮るものであれば任意であり、表示板６の照明室とは別途形成されるインジケータハウジング、回路基板７上に配置される電気・電子部品、指針３の駆動装置等が一例としてあげられる。
【００２８】
【発明の効果】
以上詳述したように、本発明によれば、初期の目的を達成することができ、照明品位の低下を抑えることが可能な指針式計器を提供できる。
【図面の簡単な説明】
【図１】本発明の実施例による指針式計器の平面図。
【図２】図１のＡ−Ａ断面図。
【図３】図１のＢ−Ｂ断面図。
【図４】図１中、点Ｐ１と点Ｐ２を結んだライン上における透過光の強度を示す説明図。
【符号の説明】
１  駆動装置
２  回転軸
３  指針
４  計測値表示部
５  ゾーン表示部
６  表示板
７  回路基板
８  光源
９  枠体
９１  隔壁
９２  第１の反射部（遮光要素）
９３  第２の反射部
６１  基板
６２  第１の着色層
６３  第２の着色層
６４  地色層
６４ａ  透過光調整部（網点印刷層）
Ｌ  ライン
Ｐ１，Ｐ２，Ｐａ，Ｐｂ  点
Ｐｃ  点（境界点）
Ｂｄ  境界部
Ａ１  第１のエリア
Ａ２  第２のエリア
【図１】
0003693175.tif 000002
【図２】
0003693175.tif 000003
【図３】
0003693175.tif 000004
【図４】
0003693175.tif 000005